(57)【特許請求の範囲】
【請求項１】
脚１２で支持された床１を設け、床１に便器１７を設けると共に、床１の下方に可撓性を有する便容器２４を取付け、さらに、床１から汲取りホース支承筒３１を吊下げて設け、汲取りホース支承筒３１は、上部開口３３を床１の上方に開口させて設けると共に、汲取りホース支承筒３１の下部に、汲取りホース支承筒３１内に挿入された汲取りホースの下降を阻止するストッパ３４を設け、さらに、汲取りホース支承筒３１の下端部には、下方に突出し、便容器２４の底部２５の上昇を阻止する突出抑止部３５を設けると共に、汲取りホース支承筒３１の下端部の側方に、側方屎尿吸入口３６を設けた簡易トイレ。
【請求項２】
汲取りホース支承筒３１全体を、硬質物体で形成すると共に、汲取りホース支承筒３１の下端面を、閉鎖面３７に形成した請求項１記載の簡易トイレ。
【請求項３】
汲取りホース支承筒３１を、床１に設けた支承筒挿入孔４に、揺動可能に緩挿した請求項１又は請求項２のいずれかに記載した簡易トイレ。
【請求項４】
汲取りホース支承筒３１を、便器１７の便落下孔１９と、便落下孔１９の後方の枠材９との間に設けた請求項１から請求項３のいずれかに記載された簡易トイレ。
【発明の詳細な説明】
【０００１】
【発明の属する技術分野】
本発明は、災害時などに使用する簡易トイレに関する。
【０００２】
【従来の技術】
本件出願人は、さきに簡易トイレに関する発明を出願している。そして、前記発明は、特開平９ー７０３７４号として公開されている。
【０００３】
前記公開公報に記載された発明は、図４に示すように、脚１２で支持された床１に、便器１７を設けると共に、床１の下方に便容器２４を取付け、さらに、床１から汲取りホース支承筒３１を吊下げて設けたものである。
【０００４】
そして、汲取りホース支承筒３１の下端部には、汲取りホースの下降を阻止するストッパ３４を設けると共に、下方屎尿吸入口３８を設けている。
そして、屎尿の汲取り後も、便容器２４の底部２５の上に落下した大便が、残存する屎尿により溶解できるよう、底部２５上に小量の屎尿を残すため、汲取りホース支承筒３１の下端を、底部２５より小間隔離した上方にあるように形成している。
【０００５】
【発明が解決しようとする課題】
前記図４に示す簡易トイレは、汲取りホースの吸引力があまり強くない場合は、特に問題はない。
【０００６】
しかしながら、汲取りホースの吸引力が特別に強力な場合には、下部開口３８が、便容器２４の可撓性を有する底部２５を吸引して、底部２５が下部開口３８を閉鎖し、屎尿の汲取りの支障となる虞れがあった。
【０００７】
本発明は、前記事項に鑑みなされたものであり、可撓性を有する便容器の底部が、汲取りホース支承筒を閉鎖することなく、良好に屎尿の汲取りができるようにすることを課題とする。
【０００８】
【課題を解決するための手段】
第１の発明は、脚１２で支持された床１を設け、床１に便器１７を設けると共に、床１の下方に可撓性を有する便容器２４を取付け、さらに、床１から汲取りホース支承筒３１を吊下げて設け、汲取りホース支承筒３１は、上部開口３３を床１の上方に開口させて設けると共に、汲取りホース支承筒３１の下部に、汲取りホース支承筒３１内に挿入された汲取りホースの下降を阻止するストッパ３４を設け、さらに、汲取りホース支承筒３１の下端部には、下方に突出し、便容器２４の底部２５の上昇を阻止する突出抑止部３５を設けると共に、汲取りホース支承筒３１の下端部の側方に、側方屎尿吸入口３６を設けて簡易トイレとした。
【０００９】
第２の発明は、第１の発明において、汲取りホース支承筒３１全体を、硬質物体で形成すると共に、汲取りホース支承筒３１の下端面を、閉鎖面３７に形成して簡易トイレとした。
【００１０】
第３の発明及び第４の発明は、第１の発明又は第２の発明のいずれかの発明において、汲取りホース支承筒３１を、床１に設けた支承筒挿入孔４に、揺動可能に緩挿して簡易トイレとした。
【００１１】
第５の発明から第８の発明は、第１の発明又は第２の発明又は第３の発明又は第４の発明のいずれかの発明において、汲取りホース支承筒３１を、便器１７の便落下孔１９と、便落下孔１９の後方の枠材９との間に設けて簡易トイレとした。
【００１２】
【発明の実施の形態】
以下図に基づいて本発明の実施の形態の説明をする。図１〜図３は本発明の実施の形態の説明用の図である。
【００１３】
この実施の形態は、枠材９を長方形の四角形に組立て、さらに、長尺に形成された一対の枠材９間には、１本の枠材９と２本の桟１１を架設してある。
そして、前記四角形に組立てられた枠材９は、４本の脚１２で支持されている。
【００１４】
そして、前記枠材９の上面には、床１が設けてあり、この床１は、枠材９の上面に敷設したベニヤ板２と、さらに、そのベニヤ板２の上面に敷設した塩化ビニール樹脂製の合成樹脂製シート３で形成されている。
【００１５】
そして、前記枠材９には、４箇所に床１を貫通して形成された支柱装着孔１０が設けてあり、図示してない支柱を装着するように形成してある。そして、前記図示してない支柱には、図示してない幌を装着して簡易トイレを覆えるように形成するものである。
【００１６】
そして、前記床１の奥寄りの位置には、便器１７装着用の孔が設けてあり、この孔に合成樹脂製の和式の便器１７の下部が挿入され、便器１７に設けた便器フランジ１８が、床１の孔縁に載置されて便器１７を止着している。
【００１７】
そして、床１の下方には、可撓性を有する合成樹脂で四角形の袋状に形成された便容器２４が図示してない取付具で取付てある。
さらに、前記床１に設けた便器１７の便落下孔１９と、便落下孔１９の後方の枠材９の間の床１に、図１に示すように、支承筒挿入孔４を設けている。
【００１８】
そして、この支承筒挿入孔４に、硬質の合成樹脂で形成した汲取りホース支承筒３１を挿入して、汲取りホース支承筒３１に設けたフランジ３２を、床１に載置して、汲取りホース支承筒３１を吊下げて設けている。
【００１９】
そして、前記汲取りホース支承筒３１は、硬質の合成樹脂で形成しているが、汲取りホース支承筒３１は、フランジ３２よりも下方の部分で、かつ、ストッパ３４よりも上方の部分を、可撓性を有する材料で形成することも可能である。
【００２０】
そして、前記の如く、汲取りホース支承筒３１の一部を可撓性の材料で形成した場合は、屎尿の汲取時に、汲取りホース支承筒３１を、汲取りホースなどで硬直に保持する必要がある。
【００２１】
そして、この汲取りホース支承筒３１は、床１に設けた支承筒挿入孔４に、揺動可能に緩挿してあるが、汲取りホース支承筒３１は、支承筒挿入孔４に固く挿入して固定することも可能である。
【００２２】
そして、前記の如く床１に設けた支承筒挿入孔４に挿入した汲取りホース支承筒３１は上部開口３３を床１の上方に開口させることとなる。
そして、汲取りホース支承筒３１の下部には、汲取りホース支承筒３１内に挿入された、図示してない汲取りホースの下降を阻止するストッパ３４が設けてある。
【００２３】
そして、前記汲取りホースは、バキュームポンプに接続されるものである。
さらに、汲取りホース支承筒３１の下端部には、下方に突出し、可撓性を有する便容器２４の底部２５が、汲取りホースにより吸引されて上昇するのを阻止する突出抑止部３５を、便容器２４の底部２５の近くまで突出させて設けている。
【００２４】
そして、汲取りホース支承筒３１の下端部の側方には、汲取りホース支承筒３１の下端部近くから、汲取りホース支承筒３１の下端に達する側方屎尿吸入口３６が設けてあるが、この側方屎尿吸引口３６は、汲取りホース支承筒３１の下端には達しないように形成することも可能である。
【００２５】
そして、前記汲取りホース支承筒３１の下端面は、閉鎖面３７で閉鎖されているが、この閉鎖面３７は、設けてないようにすることも可能である。
そして、前記床１の前寄りの位置で、かつ便器１７の便落下孔１９側の位置には、固液分離器４２が設置してあり、この固液分離器４２の流入口４３は、連結杆５１及び操作杆５３を介して設けた把手５４により操作されるスクレーパ５０により、清掃できるように形成してある。
【００２６】
そして、固液分離器４２の排出流路４５には、滅菌剤収容部４４が設けてあり、前記排出流路４５は、便容器２４の側部を液密に貫通して、排水路５９に接続するように形成してあるが、前記固液分離器４２に関する説明は、さきの特開平９ー７０３７４号公報に記載されているので詳細な説明は省略する。
【００２７】
この実施の形態の簡易トイレは、便容器２４内に屎尿が溜まると、固形の大便は、屎尿中の水分によって溶解すると共に、屎尿中の微生物によっても溶解される。
【００２８】
そして、溶解した液状部分は、固液分離器４２から排出流路４５を通って排水路５９に排出される。
そして、固液分離器４２から排出しなかった屎尿が、便容器２４内に満ちたら、汲取りホース支承筒３１内に、バキュームカーの汲取りホースを、先端が汲取りホース支承筒３１のストッパ３４に当接するまで挿入する。
【００２９】
そして、固液分離器４２から流出しなかった、便容器２４内の屎尿を、バキュームカーの汲取りホースで吸引して排出させる。
そして、便容器２４内の屎尿の吸引が進み、便容器２４の底部２５に対する屎尿による液圧が減少して、可撓性を有する底部２５が汲取りホースで、上方に引き上げられるように吸引されても、汲取りホース支承筒３１の突出抑止部３５で、底部２５の上昇を抑止し、底部２５が汲取りホース支承筒３１の下部を覆うようなことがない。
【００３０】
そして、それと共に、汲取りホース支承筒３１は、下端部の側方に、側方屎尿吸入口３６を設けているので、この側方屎尿吸入口３６は、便容器２４が可撓性であり、かつ、バキュームカーのポンプの吸引力が特に強力であっても、側方屎尿吸引口３６が閉ざされる虞れがない。
【００３１】
【発明の効果】
本発明は、汲取りホース支承筒３１に汲取りホースの下降を阻止するストッパ３４を設け、汲取りホース支承筒３１の下端部には、下方に突出し、便容器２４の底部２５の上昇を阻止する突出抑止部３５を設けると共に、汲取りホース支承筒３１の下端部の側方に、側方屎尿吸入口３６を設けたものである。
【００３２】
したがって、バキュームカーの汲取りホースによる便容器２４内の屎尿の吸引が進み、便容器２４の底部２５に対する屎尿による液圧が減少して、可撓性を有する底部２５が上方に引き上げられるように吸引されても、汲取りホース支承筒３１の突出抑止部３５で、底部２５の上昇を阻止し、底部２５が汲取りホース支承筒３１の下部を覆い、汲取の支障となるような事がない。
【００３３】
それと共に、汲取りホース支承筒３１は、下端部の側方に、側方屎尿吸入口３６を設けているので、この側方屎尿吸入口３６は、便容器２４が可撓性であり、かつ、バキュームカーのポンプの吸引力が特に強力でも、側方屎尿吸入口３６が閉ざされ、屎尿の吸入に支障となる虞れがないものである。
【００３４】
汲取りホース支承筒３１の下端面を、閉鎖面３７に形成した発明は、さらに、便容器２４の底部２５を上方に引き上げる虞れがないものである。
汲取りホース支承筒３１を、支承筒挿入孔４に揺動可能に緩挿した発明は、さらに、側方屎尿吸入口３６などに引っ掛かった固形物を揺り動かして通過させることができるものである。
【００３５】
汲取りホース支承筒３１を、便落下孔１９と、便落下孔１９の後方の枠材９との間に設けた発明は、さらに、便容器２４内と連通する部分である汲取りホース支承筒３１を便落下孔１９の後方に設けたので、簡易トイレの床１の面で、使用者が足で踏むような箇所で、使用者の視線が集中するような箇所に、便容器２４内と直接連通する装置を設けず、簡易トイレを嫌悪の少ないものとした。
【図面の簡単な説明】
【図１】本発明の一実施の形態の説明用の図で、図３のＡ−Ａ線の断面図
【図２】本発明の一実施の形態の説明用の図で、図３のＢ−Ｂ線の断面図
【図３】本発明の一実施の形態の説明用の平面図
【図４】従来例の要部の断面図
【符号の説明】
１  床
２  ベニヤ板
３  合成樹脂製シート
４  支承筒挿入孔
９  枠材
１０  支柱装着孔
１１  桟
１２  脚
１７  便器
１８  便器フランジ
１９  便落下孔
２４  便容器
２５  底部
３１  汲取りホース支承筒
３２  フランジ
３３  上部開口
３４  ストッパ
３５  突出抑止部
３６  側方屎尿吸入口
３７  閉鎖面
３８  下方吸入口
４２  固液分離器
４３  流入口
４４  滅菌剤収容部
４５  排出流路
５０  スクレーパ
５１  連結杆
５３  操作杆
５４  把手
５９  排水路
【図１】
0003786384.tif 000002
【図２】
0003786384.tif 000003
【図３】
0003786384.tif 000004
【図４】
0003786384.tif 000005